(57)【要約】      （修正有）【課題】飲食品等の店頭に並べた時間の経過に応じて値引販売することより、売れ残りの防止を図ることができるようにするための割引ラベルにおいて、消費者が何ら他人の目を気にすることなく購買することができるようにしたチャリティー表示付き割引ラベルを提供する。【解決手段】商品購入時に所定の割引があることを示す割引ラベルであって、該割引ラベルにはチャリティーの表示が割引表示と並べて表示されている。【選択図】図１
0003165857.tif 000002
【実用新案登録請求の範囲】
【請求項１】
商品購入時に所定の割引があることを示す割引ラベルであって、該割引ラベルにはチャリティーの表示が施されていることを特徴とするチャリティー表示付き割引ラベル。
【請求項２】
前記割引ラベルにおけるチャリティーの表示が、チャリティー用基金の名称表示であることを特徴とする請求項１に記載のチャリティー表示付き割引ラベル。
【請求項３】
前記割引ラベルにおけるチャリティーの表示が、チャリティーの種類によって前記割引ラベルの外形を異なるものとすることを特徴とする請求項１に記載のチャリティー表示付き割引ラベル。
【請求項４】
前記割引ラベルにおけるチャリティーの表示が、チャリティーの種類によって前記割引ラベルの着色を異なるものとすることを特徴とする請求項１に記載のチャリティー表示付き割引ラベル。
【請求項５】
前記割引ラベルにおける商品購入時に所定の割引があることを示す表示が、割引率の記載であることを特徴とする請求項１に記載のチャリティー表示付き割引ラベル。
【考案の詳細な説明】
【技術分野】
【０００１】
本考案はチャリティー表示付き割引ラベルに関し、飲食品等の店頭に並べた時間の経過に応じて値引販売することより、売れ残りの防止を図ることができるようにするための割引ラベルにおいて、消費者が何ら他人の目を気にすることなく購買することができるようにしたチャリティー表示付き割引ラベルに関する。
【背景技術】
【０００２】
従来、デパートやスーパー、コンビニエンスストア、八百屋や鮮魚店等においては、飲食品等の店頭に並べた時間の経過に応じて値引販売することより、売れ残りの防止を図ることができるよう、商品のパッケージ等に割引率を記載した割引ラベルを貼付することが行われている。
図８（ａ）は従来の長方形タイプの割引ラベルを示し、（ｂ）は丸形タイプの割引ラベルを、また（ｃ）は順次重ね貼りした状態を示し、それぞれ割引ラベル１０１の表面には割引率ないし割引金額の表示欄１０２が設けられているのである。
【０００３】
ところが、このような割引ラベルを貼付した商品は、消費者が他人の目が気になって購入をためらうことが知られており、なかなか割引ラベルを貼付したから商品の購入が促進されて売れ残りが防止できるというには程遠いのが実情である。
【先行技術文献】
【特許文献】
【０００４】
【特許文献１】米抄２００３／１４１２１４抄録
【考案の開示】
【考案が解決しようとする課題】
【０００５】
米抄２００３／１４１２１４抄録（特許文献１参照）には、売り場におけるパツケージングと展示システム、特に消費者が慈善団体に対する寄付を容易にする販売システムであって、カラーコードにより品物の種類を明示し、同時に寄贈品の受取人、寄贈する地域、寄贈活動の運営者などを明らかにすることにより、購入者が寄贈品がどのように処理されるが確実に判断した上で購入を決定することができると記載されている。
しかしながら、前記考案は割引ラベルの前記問題点を解消することを目的とするものではなく、また割引ラベルを意味するものでもない。
【０００６】
本考案は、飲食品等の店頭に並べた時間の経過に応じて値引販売することより、売れ残りの防止を図ることができるようにするための割引ラベルにおいて、消費者が何ら他人の目を気にすることなく購買することができるようにしたチャリティー表示付き割引ラベルを提供するものである。
【課題を解決するための手段】
【０００７】
前記問題点を解決するために、本考案に係るチャリティー表示付き割引ラベルにおいては、商品購入時に所定の割引があることを示す割引ラベルであって、該割引ラベルにはチャリティーの表示が施されていることを特徴とするものである。
【０００８】
本考案に係るチャリティー表示付き割引ラベルは、前記割引ラベルにおけるチャリティーの表示が、チャリティー用基金の名称表示であることをも特徴とするものである。
【０００９】
本考案に係るチャリティー表示付き割引ラベルは、前記割引ラベルにおけるチャリティーの表示が、チャリティーの種類によって前記割引ラベルの外形を異なるものとすることをも特徴とするものである。
【００１０】
本考案に係るチャリティー表示付き割引ラベルは、前記割引ラベルにおけるチャリティーの表示が、チャリティーの種類によって前記割引ラベルの着色を異なるものとすることをも特徴とするものである。
【００１１】
本考案に係るチャリティー表示付き割引ラベルは、前記割引ラベルにおける商品購入時に所定の割引があることを示す表示が、割引率の記載であることをも特徴とするものである。
【考案の効果】
【００１２】
本考案に係るチャリティー表示付き割引ラベルは上記のように構成されているので、飲食品等の店頭に並べた時間の経過に応じて値引販売することより、売れ残りの防止を図ることができるだけでなく、社会貢献という理由付けができて、消費者が何ら他人の目を気にすることなく購買することができるという顕著な効果を発揮する。
もちろん、チャリティー表示付き割引ラベルを貼付した商品の販売で得られたチャリティー分の売上は、各種のチャリティー基金に提供されて社会に貢献されることとなるのである。
【００１３】
さらに、常用されている割引ラベルにチャリティー表示を施すことにより、割引ラベルとチャリティーラベルとを別々に貼付する手間が省け、社会貢献をすることができる低コストなチャリティー表示付き割引ラベルを提供することができる。
【図面の簡単な説明】
【００１４】
【図１】（ａ）は本考案に係るチャリティー表示付き割引ラベルの１実施例を示す平面図、（ｂ）は順次重ね貼りした状態の平面図である。
【図２】（ａ）は縦型タイプの平面図、（ｂ）は順次重ね貼りした状態の平面図である。
【図３】（ａ）は横型タイプの平面図、（ｂ）は順次重ね貼りした状態の平面図、（ｃ）は横型タイプの変形例を示す平面図である。
【図４】（ａ）は楕円タイプの平面図、（ｂ）はその変形例の平面図である。
【図５】（ａ）はハートタイプの平面図、（ｂ）は順次重ね貼りした状態の平面図、（ｃ）はハートタイプの変形例を示す平面図である。
【図６】丸形タイプの平面図である。
【図７】本考案に係るチャリティー表示付き割引ラベルを提供するシステムのフローチャートである。
【図８】（ａ）は従来の長方形タイプの割引ラベルを示す平面図、（ｂ）は丸形タイプの割引ラベルの平面図、（ｃ）は順次重ね貼りした状態の平面図である。
【考案を実施するための形態】
【００１５】
次に、本考案に係るチャリティー表示付き割引ラベルの好ましい実施の形態を図面を参照して説明する。
本考案に係るチャリティー表示付き割引ラベルの１実施例を示す図１（ａ）において、１１は商品購入時に所定の割引があることを示す割引ラベルであって、それぞれ１割引、２割引、５０円引のものからなり、該割引ラベル１１にはチャリティーの表示１２が施されている。
前記チャリティー表示１２は、いずれもチャリティー用基金の名称表示からなるものである。
【００１６】
そして１割引の割引ラベル１１ａは森林保護のために、２割引の割引ラベル１１ｂは子供基金のために、５０円引の割引ラベル１１ｃは老人福祉基金のために使用されるチャリティー表示１２を有している。
図１（ｂ）は時間の経過とともに、売れ残りを防止するために順次１割引から５０円引までの割引ラベル１１ａ〜ｃを重ね貼りした状態を示し、各チャリティー表示１２部分が見えるように重ねて貼られている。
【００１７】
前記割引ラベル１１におけるチャリティー表示１２は、チャリティーの種類によって前記割引ラベル１１の外形をそれぞれ異ならせることができる。もちろん、各商店ごとに異なるデザインのものとすることは自由である。
【００１８】
次に、チャリティー表示付き割引ラベルの縦型タイプの実施例を示す図２（ａ）において、２１は商品購入時に所定の割引があることを示す割引ラベルであって、それぞれ円形の枠内に１０％引、２０％引、５０％引の記載があり、該割引ラベル２１にはチャリティーの表示２２がその上に施されている。
【００１９】
そして１０％引の割引ラベル２１ａは森林保護のために、２０％引の割引ラベル２１ｂは子供基金のために、５０％引の割引ラベル２１ｃは福祉基金のために使用されるチャリティー表示２２を有している。
図２（ｂ）は時間の経過とともに、売れ残りを防止するために順次１０％引から５０％引までの割引ラベル１１ａ〜ｃを重ね貼りした状態を示し、各チャリティー表示２２部分が見えるように重ねて貼られている。
【００２０】
チャリティー表示付き割引ラベルの横型タイプの実施例を示す図３（ａ）において、３１は商品購入時に所定の割引があることを示す割引ラベルであって、それぞれ円形の枠内に１０％引、２０％引の記載があり、片側を面取りした方形の枠内に５０％引、３割引、２割引の記載があって、該割引ラベル３１にはチャリティーの表示３２がその左側に施されている。
【００２１】
そして１０％引の割引ラベル３１ａは森林保護のために、２０％引の割引ラベル３１ｂは子供基金のために、５０％引の割引ラベル３１ｃは福祉基金のために、３割引の割引ラベル３１ｄは女性基金のために、２割引の割引ラベル３１ｅは子供基金のために使用されるチャリティー表示３２を有している。
図３（ｂ）は時間の経過とともに、売れ残りを防止するために順次１０％引から３０％引までの割引ラベル３１ａ，３１ｂ，３１ｄを重ね貼りした状態を示し、各チャリティー表示３２部分が見えるように重ねて貼られている。
図３（ｃ）は横型タイプの変形例を示し、割引ラベル３１ｆの下部にはバーコード欄３３が設けられている。
【００２２】
チャリティー表示付き割引ラベルの楕円タイプの実施例を示す図４（ａ）において、４１は商品購入時に所定の割引があることを示す割引ラベルであって、それぞれ楕円形の枠内に１０％引、１０％引、３０％引、５０％引の記載があり、該割引ラベル４１にはチャリティーの表示４２がその左側に施されている。
【００２３】
そして１０％引の割引ラベル４１ａ、４１ｂは森林保護および環境基金のために、３０％引の割引ラベル４１ｃは女性基金のために、５０％引の割引ラベル４１ｄは福祉基金のために使用されるチャリティー表示４２を有している。
図４（ｂ）は楕円タイプの別の実施例を示し、割引ラベル４１ｅはそれぞれ楕円形の左右両端を切断した形状となっている。
【００２４】
チャリティー表示付き割引ラベルのハートタイプの実施例を示す図５（ａ）において、５１は商品購入時に所定の割引があることを示す割引ラベルであって、それぞれ横長の枠内に１０％引、３０％引、５０％引の記載があり、該割引ラベル５１にはチャリティーの表示５２がその左側に施されている。
【００２５】
そして１０％引の割引ラベル５１ａは森林保護のために、３０％引の割引ラベル５１ｂは女性基金のために、５０％引の割引ラベル５１ｃは福祉基金のために使用されるチャリティー表示５２を有している。
図５（ｂ）は時間の経過とともに、売れ残りを防止するために順次１０％引から５０％引までの割引ラベル５１ａ〜ｃを重ね貼りした状態を示し、各チャリティー表示５２部分が見えるように重ねて貼られている。
図５（ｃ）はハートタイプの変形例を示し、割引ラベル５１ｄのハート形状の中に、商品購入時に所定の割引があることを示す割引表示５３が設けられている。
【００２６】
チャリティー表示付き割引ラベルの丸形タイプの実施例を示す図６において、６１は商品購入時に所定の割引があることを示す割引ラベルであって、それぞれ円形の枠内に１０％引、２０％引、５０％引の記載があり、該割引ラベル６１にはチャリティー表示６２が前記円形の枠の外側に施されている。
【００２７】
もちろん、本考案に係るチャリティー表示付き割引ラベルにおいては、前記各割引ラベル１１〜６１におけるチャリティー表示１２〜６２を、チャリティーの種類によって前記割引ラベル１１〜６１の着色を異なるものとすることも可能である。
【００２８】
さらに、本考案に係るチャリティー表示付き割引ラベルにおいては、前記割引ラベル１１〜６１における商品購入時に所定の割引があることを示す表示が、割引率や割引金額等の記載であることが望ましい。また、前記外形や着色をレジで読み取って、所定の割引を実施するようにしてもよく、その場合には商品購入時に所定の割引があることを示す表示を省略することもできる。
【００２９】
図７は本考案に係るチャリティー表示付き割引ラベルを提供するシステムのフローチャートである。
ａ）各社会奉仕の団体からのチャリティー基金の提供の募集
ｂ）各店舗のシステムへの各基金の細目の組込み
ｃ）各種の割引ラベルの仕様を決定し、印刷
ｄ）割引ラベルの各店舗への提供
ｅ）割引ラベルの商品への貼付
ｆ）消費者による商品の購入
ｇ）レジにおける各時点での割引・精算
ｈ）各割引率に応じたチャリティー基金の計算
ｉ）割引率に応じてチャリティー基金を各社会奉仕の団体へ提供
【００３０】
本考案に係るチャリティー表示付き割引ラベルは上記のように構成されているので、飲食品等の店頭に並べた時間の経過に応じて値引販売することより、売れ残りの防止を図ることができるだけでなく、社会貢献という理由付けができて、消費者が何ら他人の目を気にすることなく購買することができるという顕著な効果を発揮する。
もちろん、チャリティー表示付き割引ラベルを貼付した商品の販売で得られたチャリティー分の売上は、各種のチャリティー基金に提供されて社会に貢献されることとなるのである。
【００３１】
さらに、常用されている割引ラベルにチャリティー表示を施すことにより、割引ラベルとチャリティーラベルとを別々に貼付する手間が省け、社会貢献をすることができる低コストなチャリティー表示付き割引ラベルを提供することができる。
【産業上の利用可能性】
【００３２】
本考案に係るチャリティー表示付き割引ラベルは上記の構成を有している。
したがって、割引ラベルにチャリティー表示と同等の適宜の表示を施すことができる。
また、デパートやスーパー、コンビニエンスストア、八百屋や鮮魚店等における飲食品等の用途以外にも自在に利用することができる。
【符号の説明】
【００３３】
１１  割引ラベル
１１ａ，１１ｂ，１１ｃ  割引ラベル
１２  チャリティー表示
２１  割引ラベル
２１ａ，２１ｂ，２１ｃ  割引ラベル
２２  チャリティー表示
３１  割引ラベル
３１ａ，３１ｂ，３１ｃ，３１ｄ，３１ｅ，３１ｆ  割引ラベル
３２  チャリティー表示
３３  バーコード欄
４１  割引ラベル
４１ａ，４１ｂ，４１ｃ，４１ｄ，４１ｅ  割引ラベル
４２  チャリティー表示
５１  割引ラベル
５１ａ，５１ｂ，５１ｃ，５１ｄ  割引ラベル
５３  割引表示
６１  割引ラベル
６２  チャリティー表示
【図１】
0003165857.tif 000003
【図２】
0003165857.tif 000004
【図３】
0003165857.tif 000005
【図４】
0003165857.tif 000006
【図５】
0003165857.tif 000007
【図６】
0003165857.tif 000008
【図７】
0003165857.tif 000009
【図８】
0003165857.tif 000010
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
商品購入時に所定の割引があることを示す割引ラベルであって、該割引ラベルにはチャリティー表示が割引表示と並べて表示されていることを特徴とするチャリティー表示付き割引ラベル。
【請求項２】
前記割引ラベルにおけるチャリティー表示が、チャリティー用基金の名称表示であることを特徴とする請求項１に記載のチャリティー表示付き割引ラベル。
【請求項３】
前記割引ラベルにおけるチャリティー表示が、チャリティーの種類によって前記割引ラベルの外形を異なるものとすることを特徴とする請求項１に記載のチャリティー表示付き割引ラベル。
【請求項４】
前記割引ラベルにおけるチャリティー表示が、チャリティーの種類によって前記割引ラベルの着色を異なるものとすることを特徴とする請求項１に記載のチャリティー表示付き割引ラベル。
【請求項５】
前記割引ラベルにおける商品購入時に所定の割引があることを示す割引表示が、割引率の記載であることを特徴とする請求項１に記載のチャリティー表示付き割引ラベル。
【手続補正２】
【補正対象書類名】明細書
【補正対象項目名】全文
【補正方法】変更
【補正の内容】
【考案の詳細な説明】
【技術分野】
【０００１】
本考案はチャリティー表示付き割引ラベルに関し、飲食品等の店頭に並べた時間の経過に応じて値引販売することより、売れ残りの防止を図ることができるようにするための割引ラベルにおいて、消費者が何ら他人の目を気にすることなく購買することができるようにしたチャリティー表示付き割引ラベルに関する。
【背景技術】
【０００２】
従来、デパートやスーパー、コンビニエンスストア、八百屋や鮮魚店等においては、飲食品等の店頭に並べた時間の経過に応じて値引販売することより、売れ残りの防止を図ることができるよう、商品のパッケージ等に割引率を記載した割引ラベルを貼付することが行われている。
図８（ａ）は従来の長方形タイプの割引ラベルを示し、（ｂ）は丸形タイプの割引ラベルを、また（ｃ）は順次重ね貼りした状態を示し、それぞれ割引ラベル１０１の表面には割引率ないし割引金額の表示欄１０２が設けられているのである。
【０００３】
ところが、このような割引ラベルを貼付した商品は、消費者が他人の目が気になって購入をためらうことが知られており、なかなか割引ラベルを貼付したから商品の購入が促進されて売れ残りが防止できるというには程遠いのが実情である。
【先行技術文献】
【特許文献】
【０００４】
【特許文献１】米抄２００３／１４１２１４抄録
【考案の開示】
【考案が解決しようとする課題】
【０００５】
米抄２００３／１４１２１４抄録（特許文献１参照）には、売り場におけるパツケージングと展示システム、特に消費者が慈善団体に対する寄付を容易にする販売システムであって、カラーコードにより品物の種類を明示し、同時に寄贈品の受取人、寄贈する地域、寄贈活動の運営者などを明らかにすることにより、購入者が寄贈品がどのように処理されるが確実に判断した上で購入を決定することができると記載されている。
しかしながら、前記考案は割引ラベルの前記問題点を解消することを目的とするものではなく、また割引ラベルを意味するものでもない。
【０００６】
本考案は、飲食品等の店頭に並べた時間の経過に応じて値引販売することより、売れ残りの防止を図ることができるようにするための割引ラベルにおいて、消費者が何ら他人の目を気にすることなく購買することができるようにしたチャリティー表示付き割引ラベルを提供するものである。
【課題を解決するための手段】
【０００７】
前記問題点を解決するために、本考案に係るチャリティー表示付き割引ラベルにおいては、商品購入時に所定の割引があることを示す割引ラベルであって、該割引ラベルにはチャリティー表示が割引表示と並べて表示されていることを特徴とするものである。
【０００８】
本考案に係るチャリティー表示付き割引ラベルは、前記割引ラベルにおけるチャリティー表示が、チャリティー用基金の名称表示であることをも特徴とするものである。
【０００９】
本考案に係るチャリティー表示付き割引ラベルは、前記割引ラベルにおけるチャリティー表示が、チャリティーの種類によって前記割引ラベルの外形を異なるものとすることをも特徴とするものである。
【００１０】
本考案に係るチャリティー表示付き割引ラベルは、前記割引ラベルにおけるチャリティー表示が、チャリティーの種類によって前記割引ラベルの着色を異なるものとすることをも特徴とするものである。
【００１１】
本考案に係るチャリティー表示付き割引ラベルは、前記割引ラベルにおける商品購入時に所定の割引があることを示す割引表示が、割引率の記載であることをも特徴とするものである。
【考案の効果】
【００１２】
本考案に係るチャリティー表示付き割引ラベルは上記のように構成されているので、飲食品等の店頭に並べた時間の経過に応じて値引販売することより、売れ残りの防止を図ることができるだけでなく、社会貢献という理由付けができて、消費者が何ら他人の目を気にすることなく購買することができるという顕著な効果を発揮する。
もちろん、チャリティー表示付き割引ラベルを貼付した商品の販売で得られたチャリティー分の売上は、各種のチャリティー基金に提供されて社会に貢献されることとなるのである。
【００１３】
さらに、常用されている割引ラベルにチャリティー表示を施すことにより、割引ラベルとチャリティーラベルとを別々に貼付する手間が省け、社会貢献をすることができる低コストなチャリティー表示付き割引ラベルを提供することができる。
【図面の簡単な説明】
【００１４】
【図１】（ａ）は本考案に係るチャリティー表示付き割引ラベルの１実施例を示す平面図、（ｂ）は順次重ね貼りした状態の平面図である。
【図２】（ａ）は縦型タイプの平面図、（ｂ）は順次重ね貼りした状態の平面図である。
【図３】（ａ）は横型タイプの平面図、（ｂ）は順次重ね貼りした状態の平面図、（ｃ）は横型タイプの変形例を示す平面図である。
【図４】（ａ）は楕円タイプの平面図、（ｂ）はその変形例の平面図である。
【図５】（ａ）はハートタイプの平面図、（ｂ）は順次重ね貼りした状態の平面図、（ｃ）はハートタイプの変形例を示す平面図である。
【図６】丸形タイプの平面図である。
【図７】本考案に係るチャリティー表示付き割引ラベルを提供するシステムのフローチャートである。
【図８】（ａ）は従来の長方形タイプの割引ラベルを示す平面図、（ｂ）は丸形タイプの割引ラベルの平面図、（ｃ）は順次重ね貼りした状態の平面図である。
【考案を実施するための形態】
【００１５】
次に、本考案に係るチャリティー表示付き割引ラベルの好ましい実施の形態を図面を参照して説明する。
本考案に係るチャリティー表示付き割引ラベルの１実施例を示す図１（ａ）において、１１は商品購入時に所定の割引があることを示す割引ラベルであって、それぞれ１割引、２割引、５０円引のものからなり、該割引ラベル１１にはチャリティー表示１２が割引表示と並べて表示されている。
前記チャリティー表示１２は、いずれもチャリティー用基金の名称表示からなるものである。
【００１６】
そして１割引の割引ラベル１１ａは森林保護のために、２割引の割引ラベル１１ｂは子供基金のために、５０円引の割引ラベル１１ｃは老人福祉基金のために使用されるチャリティー表示１２を有している。
図１（ｂ）は時間の経過とともに、売れ残りを防止するために順次１割引から５０円引までの割引ラベル１１ａ〜ｃを重ね貼りした状態を示し、各チャリティー表示１２部分が見えるように重ねて貼られている。
【００１７】
前記割引ラベル１１におけるチャリティー表示１２は、チャリティーの種類によって前記割引ラベル１１の外形をそれぞれ異ならせることができる。もちろん、各商店ごとに異なるデザインのものとすることは自由である。
【００１８】
次に、チャリティー表示付き割引ラベルの縦型タイプの実施例を示す図２（ａ）において、２１は商品購入時に所定の割引があることを示す割引ラベルであって、それぞれ円形の枠内に１０％引、２０％引、５０％引の割引表示があり、該割引ラベル２１にはチャリティー表示２２がその上に施されている。
【００１９】
そして１０％引の割引ラベル２１ａは森林保護のために、２０％引の割引ラベル２１ｂは子供基金のために、５０％引の割引ラベル２１ｃは福祉基金のために使用されるチャリティー表示２２を有している。
図２（ｂ）は時間の経過とともに、売れ残りを防止するために順次１０％引から５０％引までの割引ラベル１１ａ〜ｃを重ね貼りした状態を示し、各チャリティー表示２２部分が見えるように重ねて貼られている。
【００２０】
チャリティー表示付き割引ラベルの横型タイプの実施例を示す図３（ａ）において、３１は商品購入時に所定の割引があることを示す割引ラベルであって、それぞれ円形の枠内に１０％引、２０％引の割引表示があり、また片側を面取りした方形の枠内に５０％引、３割引、２割引の割引表示があって、該割引ラベル３１にはチャリティーの表示３２がその左側に並べて表示されている。
【００２１】
そして１０％引の割引ラベル３１ａは森林保護のために、２０％引の割引ラベル３１ｂは子供基金のために、５０％引の割引ラベル３１ｃは福祉基金のために、３割引の割引ラベル３１ｄは女性基金のために、２割引の割引ラベル３１ｅは子供基金のために使用されるチャリティー表示３２を有している。
図３（ｂ）は時間の経過とともに、売れ残りを防止するために順次１０％引から３０％引までの割引ラベル３１ａ，３１ｂ，３１ｄを重ね貼りした状態を示し、各チャリティー表示３２部分が見えるように重ねて貼られている。
図３（ｃ）は横型タイプの変形例を示し、割引ラベル３１ｆの下部にはバーコード欄３３が設けられている。
【００２２】
チャリティー表示付き割引ラベルの楕円タイプの実施例を示す図４（ａ）において、４１は商品購入時に所定の割引があることを示す割引ラベルであって、それぞれ楕円形の枠内に１０％引、１０％引、３０％引、５０％引の割引表示があり、該割引ラベル４１にはチャリティー表示４２がその左側に施されている。
【００２３】
そして１０％引の割引ラベル４１ａ、４１ｂは森林保護および環境基金のために、３０％引の割引ラベル４１ｃは女性基金のために、５０％引の割引ラベル４１ｄは福祉基金のために使用されるチャリティー表示４２を有している。
図４（ｂ）は楕円タイプの別の実施例を示し、割引ラベル４１ｅはそれぞれ楕円形の左右両端を切断した形状となっている。
【００２４】
チャリティー表示付き割引ラベルのハートタイプの実施例を示す図５（ａ）において、５１は商品購入時に所定の割引があることを示す割引ラベルであって、それぞれ横長の枠内に１０％引、３０％引、５０％引の割引表示があり、該割引ラベル５１にはチャリティー表示５２がその左側に並べて表示されている。
【００２５】
そして１０％引の割引ラベル５１ａは森林保護のために、３０％引の割引ラベル５１ｂは女性基金のために、５０％引の割引ラベル５１ｃは福祉基金のために使用されるチャリティー表示５２を有している。
図５（ｂ）は時間の経過とともに、売れ残りを防止するために順次１０％引から５０％引までの割引ラベル５１ａ〜ｃを重ね貼りした状態を示し、各チャリティー表示５２部分が見えるように重ねて貼られている。
図５（ｃ）はハートタイプの変形例を示し、割引ラベル５１ｄのハート形状の中に、商品購入時に所定の割引があることを示す割引表示５３が設けられている。
【００２６】
チャリティー表示付き割引ラベルの丸形タイプの実施例を示す図６において、６１は商品購入時に所定の割引があることを示す割引ラベルであって、それぞれ円形の枠内に１０％引、２０％引、５０％引の割引表示があり、該割引ラベル６１にはチャリティー表示６２が前記円形の枠の外側に施されている。
【００２７】
もちろん、本考案に係るチャリティー表示付き割引ラベルにおいては、前記各割引ラベル１１〜６１におけるチャリティー表示１２〜６２を、チャリティーの種類によって前記割引ラベル１１〜６１の着色を異なるものとすることも可能である。
【００２８】
さらに、本考案に係るチャリティー表示付き割引ラベルにおいては、前記割引ラベル１１〜６１における商品購入時に所定の割引があることを示す割引表示が、割引率や割引金額等の記載であることが望ましい。また、前記外形や着色をレジで読み取って、所定の割引を実施するようにしてもよく、その場合には商品購入時に所定の割引があることを示す割引表示を省略することもできる。
【００２９】
図７は本考案に係るチャリティー表示付き割引ラベルを提供するシステムのフローチャートである。
ａ）各社会奉仕の団体からのチャリティー基金の提供の募集
ｂ）各店舗のシステムへの各基金の細目の組込み
ｃ）各種の割引ラベルの仕様を決定し、印刷
ｄ）割引ラベルの各店舗への提供
ｅ）割引ラベルの商品への貼付
ｆ）消費者による商品の購入
ｇ）レジにおける各時点での割引・精算
ｈ）各割引率に応じたチャリティー基金の計算
ｉ）割引率に応じてチャリティー基金を各社会奉仕の団体へ提供
【００３０】
本考案に係るチャリティー表示付き割引ラベルは上記のように構成されているので、飲食品等の店頭に並べた時間の経過に応じて値引販売することより、売れ残りの防止を図ることができるだけでなく、社会貢献という理由付けができて、消費者が何ら他人の目を気にすることなく購買することができるという顕著な効果を発揮する。
もちろん、チャリティー表示付き割引ラベルを貼付した商品の販売で得られたチャリティー分の売上は、各種のチャリティー基金に提供されて社会に貢献されることとなるのである。
【００３１】
さらに、常用されている割引ラベルにチャリティー表示を施すことにより、割引ラベルとチャリティーラベルとを別々に貼付する手間が省け、社会貢献をすることができる低コストなチャリティー表示付き割引ラベルを提供することができる。
【産業上の利用可能性】
【００３２】
本考案に係るチャリティー表示付き割引ラベルは上記の構成を有している。
したがって、割引ラベルにチャリティー表示と同等の適宜の表示を施すことができる。
また、デパートやスーパー、コンビニエンスストア、八百屋や鮮魚店等における飲食品等の用途以外にも自在に利用することができる。
【符号の説明】
【００３３】
１１  割引ラベル
１１ａ，１１ｂ，１１ｃ  割引ラベル
１２  チャリティー表示
２１  割引ラベル
２１ａ，２１ｂ，２１ｃ  割引ラベル
２２  チャリティー表示
３１  割引ラベル
３１ａ，３１ｂ，３１ｃ，３１ｄ，３１ｅ，３１ｆ  割引ラベル
３２  チャリティー表示
３３  バーコード欄
４１  割引ラベル
４１ａ，４１ｂ，４１ｃ，４１ｄ，４１ｅ  割引ラベル
４２  チャリティー表示
５１  割引ラベル
５１ａ，５１ｂ，５１ｃ，５１ｄ  割引ラベル
５３  割引表示
６１  割引ラベル
６２  チャリティー表示